(57)【特許請求の範囲】
【請求項１】
閉蓋時に床板に設けられた所定形状の昇降用開口内に嵌入されると共に、開蓋時に前記床板に設けられた枢軸回りに上方に旋回される蓋を、閉蓋時に前記床板にロックする開閉蓋のロック装置において、
前記昇降用開口を形成する環状周壁の内面に設けられ、その上面に前記蓋が開閉自在に載置されて閉蓋時に前記蓋の上面と前記床板の天板上面とが同一高さとなる蓋載置用鍔部と、
内側に向かって開口するチャンネル部材からなる環状の補強枠によって補強された前記蓋の周縁部であって、前記枢軸によって枢支されている側と反対側をなす側の前記補強枠内に垂直板からなるストッパー本体の前部が揺動自在に枢支されると共に、該ストッパー本体の下に連設される側面視してＬ字状の鍔部掛止片を有するストッパーと、
閉蓋時に前記鍔部掛止片の上面が前記蓋載置用鍔部の下面に常時掛止されるように前記ストッパーに回転力を付与するスプリングと、
前記ストッパー本体の後方上部に形成された上部揺動端から伸延する状態で連設されている矩形の水平板からなる上部摘まみレバーと、
前記鍔部掛止片の後方下部に形成された下部揺動端から伸延された状態で連設される矩形の傾斜板からなる下部押圧レバーとを具備し、
前記ストッパーに沿ってストッパー受け金が並設され、該ストッパー受け金の基部は前記蓋の周縁部に固定連結されると共に、その先部には前記ストッパーの過回転を防止するためのストッパー受け部材が取付けられ、
更に、前記蓋は足場構造の足場板又は作業台における作業床板に使用されるものであることを特徴とする開閉蓋のロック装置。
【請求項２】
前記鍔部掛止片の下縁に、閉蓋動作において、前記蓋載置用鍔部の先部と摺動接触する円弧状の鍔部摺動接触面が形成されることを特徴とする請求項１記載の開閉蓋のロック装置。
【発明の詳細な説明】
【０００１】
【発明の属する技術分野】
本発明は、枢軸回りに上下に開閉する状態で床板に取付けられる各種開閉蓋をロックする開閉蓋のロック装置に関する。ここで、床板とは、足場構造における足場板や、作業台における作業床板のように、その上で作業者が何らかの作業を行う場合に作業者を支持するために用いられる全ての床板をいう。
【０００２】
【従来の技術】
従来、例えば、図８に示すように矩形枠９０の上面に矩形板からなる天板９１を連結して形成された足場板９２においては、これらの足場板９２からなる足場構造内を昇降するために昇降用開口９３が設けられており、この昇降用開口９３には蓋９４が上下方向に開閉自在に取付けられている。
【０００３】
図８及び図１０に示すように蓋９４は昇降用開口９３と略同一形状の環状矩形枠９４ａと、環状矩形枠９４ａの上面に連結される蓋天板９４ｂとから形成される。また、蓋９４の一側側縁はヒンジ９５、９６によって矩形枠９０の対応する枠部材９７に上下方向に回動自在に枢支連結されており、一方、蓋９４の他側側縁はロック装置９９によって着脱自在に矩形枠９０の対応する枠部材９８に掛止されている。
【０００４】
図９及び図１０にロック装置９９の構成が示されている。図示するように、ロック装置９９は、実質的に、足場板９２の枠部材９８に掛止されるストッパー１００と、ストッパー１００を蓋９４の環状矩形枠９４ａに取付けるために用いられるストッパー取付金具１０１とから構成されている。即ち、ストッパー取付金具１０１は、垂直矩形板からなる金具本体１０２の上部に水平取付板１０３を連設することによって形成されている。そして、水平取付板１０３を連結ボルト１０４によって蓋９４の蓋天板９４ｂに連結することによって、ストッパー取付金具１０１を蓋９４に取付けることができる。
【０００５】
一方、ストッパー１００は、足場板の枠部材９８に設けられた掛止孔１０５に出没自在に挿入される掛止杆１０６と、掛止杆１０６を進退自在に支持すると共に、側面に軸線方向に伸延する長孔１０７を有する掛止杆収納筒１０８と、基部が掛止杆１０６に連結され、先部が長孔１０７を通して外部に突出する操作レバー１０９と、一側側面に掛止杆収納筒１０８が取付けられると共に、他側側面がストッパー取付金具１０１の金具本体１０２の対応する側面に取付けられる垂直矩形板からなる収納筒支持板１１０とから構成されている。
【０００６】
かかる構成によって、下の足場板９２から上の足場板９２に昇る際には、上の足場板９２の下面側から操作レバー１０９を操作して掛止杆１０６を掛止孔１０５から引き抜き、その後、蓋９４を上方に持ち上げて昇降用開口９３を完全に開口することによって、下の足場板９２から上の足場板９２に移動することができる。
【０００７】
また、上の足場板９２から下の足場板９２に降りる際には、上の足場板９２から、ロック装置９９の近傍位置で蓋９４の蓋天板９４ｂに設けられた矩形開口１１１に手を挿入して操作レバー１０９を操作して掛止杆１０６を掛止孔１０５から引き抜き、その後、蓋９４を上方に持ち上げて昇降用開口９３を完全に開口することによって、上の足場板９２から下の足場板９２に移動することができる。
【０００８】
【発明が解決しようとする課題】
しかし、上記した従来の開閉蓋のロック装置９９は、未だ、以下の解決すべき課題を有していた。即ち、下の足場板９２から上の足場板９２に昇る際には、足場板９２の下方から操作レバー１０９を操作できるので問題がないが、上の足場板９２から下の足場板９２に降りる際には、足場板９２の上方から手を矩形開口１１１内に挿入した後に操作レバー１０９を操作しなくてはならず、蓋９４の開閉作業を煩雑なものとしていた。
【０００９】
さらに、いったん蓋９４を持ち上げて昇降用開口９３を開け、足場板９２間を昇降した後に、再度、蓋９４を閉める際には、蓋９４が蓋載置板１１２上に載置された後に、操作レバー１０９を手で操作して掛止杆１０６を掛止孔１０５に挿入しなくてはならず、この面からも、蓋９４の開閉作業が煩雑なものとなっていた。
【００１０】
本発明は、このような事情に鑑みなされたものであり、開閉作業を容易に行うことによって、作業者が足場板に設けた昇降用開口を通して容易かつ安全に昇降することができる開閉蓋のロック装置を提供することを目的とする。
【００１１】
【課題を解決するための手段】
前記目的に沿う請求項１記載の開閉蓋のロック装置は、閉蓋時に床板に設けられた所定形状の昇降用開口内に嵌入されると共に、開蓋時に前記床板に設けられた枢軸回りに上方に旋回される蓋を、閉蓋時に前記床板にロックする開閉蓋のロック装置において、
前記昇降用開口を形成する環状周壁の内面に設けられ、その上面に前記蓋が開閉自在に載置されて閉蓋時に前記蓋の上面と前記床板の天板上面とが同一高さとなる蓋載置用鍔部と、
内側に向かって開口するチャンネル部材からなる環状の補強枠によって補強された前記蓋の周縁部であって、前記枢軸によって枢支されている側と反対側をなす側の前記補強枠内に垂直板からなるストッパー本体の前部が揺動自在に枢支されると共に、該ストッパー本体の下に連設される側面視してＬ字状の鍔部掛止片を有するストッパーと、
閉蓋時に前記鍔部掛止片の上面が前記蓋載置用鍔部の下面に常時掛止されるように前記ストッパーに回転力を付与するスプリングと、
前記ストッパー本体の後方上部に形成された上部揺動端から伸延する状態で連設されている矩形の水平板からなる上部摘まみレバーと、
前記鍔部掛止片の後方下部に形成された下部揺動端から伸延された状態で連設される矩形の傾斜板からなる下部押圧レバーとを具備し、
前記ストッパーに沿ってストッパー受け金が並設され、該ストッパー受け金の基部は前記蓋の周縁部に固定連結されると共に、その先部には前記ストッパーの過回転を防止するためのストッパー受け部材が取付けられ、
更に、前記蓋は足場構造の足場板又は作業台における作業床板に使用されるものである。
【００１２】
請求項２記載の開閉蓋のロック装置は、請求項１記載の開閉蓋のロック装置において、前記鍔部掛止片の下縁に、閉蓋動作において、前記蓋載置用鍔部の先部と摺動接触する円弧状の鍔部摺動接触面が形成される。
【００１３】
【発明の実施の形態】
続いて、添付した図面を参照しつつ、本発明を具体化した実施の形態につき説明し、本発明の理解に供する。まず、図１〜図３を参照して、本発明の一実施の形態に係る開閉蓋のロック装置６１の一使用形態について説明する。図示するように、本実施の形態に係る開閉蓋のロック装置６１は、足場構造Ｂの一部を構成する有蓋足場板Ａの一端に設けられている昇降用開口２４を開閉するための蓋２５をロックするために用いられている。即ち、本実施の形態は、床板が、足場構造Ｂの一部を構成する有蓋足場板Ａの場合である。
【００１４】
まず、足場構造Ｂの全体構成について、図１を参照して簡単に説明する。図示するように、足場構造Ｂは、それぞれ前後方向に配設された二対の前、後垂直支柱１０、１１及び１２、１３を左右方向に間隔を開けて配設すると共に、前、後垂直支柱同士１０、１１及び１２、１３を、上下方向に間隔を開けて配設された複数の水平連結部材１４、１５によって連結することによって構成されている。
【００１５】
水平連結部材１４、１５には、有蓋足場板Ａの両端と、同様な形状を有する無蓋足場板Ａ１の両端が、掛止金具２０、２１及び２２、２３によって着脱自在に掛止されている。また、有蓋足場板Ａの一長手方向端部には昇降用開口２４が設けられており、この昇降用開口２４は蓋２５によって開閉される。足場構造Ｂの両側には垂直梯子３０、３１が取付けられており、最下段の垂直梯子３０、３１の後部には、それぞれ、作業者出入口３２、３３が設けられている。
【００１６】
かかる構成によって、図１に示すように、作業者は、作業者出入口３３より足場構造Ｂの内部空間に入り、垂直梯子３１を内側から昇ると共に蓋２５を開け、昇降用開口２４をくぐり抜けて有蓋足場板Ａ上に立ち、その後、蓋２５を閉じて、所望の高所作業を行うことができる。
【００１７】
本実施の形態は、上記した構成を有する足場構造Ｂの構築に用いられる有蓋足場板Ａにおいて、長手方向端部に設けられた昇降用開口２４を開閉する蓋２５を開閉蓋のロック装置６１によってロックするようにしたことを特徴とする。
【００１８】
まず、開閉蓋のロック装置６１を具備する有蓋足場板Ａの全体構成について説明すると、図２及び図３に示すように、有蓋足場板Ａは、実質的に、前、後枠部材４０、４１と、左、右枠部材４２、４３からなる横長の矩形枠４４と、矩形枠４４の上面に取付けられる同一形状の横長の天板４５とからなり、矩形枠４４は内側に向けて開口するチャンネル部材から形成されている。また、図２及び図３に示すように、有蓋足場板Ａの両端にはＣ形状の湾曲板部材からなる掛止金具２０、２１が取付けられており、それぞれ、水平連結部材１４、１５に着脱自在に連結されている。
【００１９】
上記した構成を有する有蓋足場板Ａにおいて、本実施の形態では、図１〜図３に示すように、有蓋足場板Ａの一端には、長手方向に長軸を有する長円形の昇降用開口２４と、この昇降用開口２４を開閉するための同様に長円形を有する蓋２５が設けられている。
【００２０】
環状周壁５２は、図５に示すように、外側に向けて開口するチャンネル部材からなる環状の補強枠５３と、補強枠５３の内周面の中間位置に突設される板材からなる環状の蓋載置用鍔部５４とから形成されている。なお、補強枠５３と蓋載置用鍔部５４とは、一体的に引抜成形することによって製作することができる。
【００２１】
一方、図２、図５及び図６に示すように、長円形を有する蓋２５は、内側に向けて開口するチャンネル部材からなる環状の補強枠５５と、補強枠５５の上面に溶接やリベット等で固着される蓋用天板５６とから形成されている。
【００２２】
図５及び図６に示すように、補強枠５５は昇降用開口２４を形成する環状周壁５２の内面に設けられた蓋載置用鍔部５４上に載置されており、その高さは、昇降用開口２４を形成するための補強枠５３の高さの略２分の１に設定されている。従って、蓋２５によって昇降用開口２４を閉じた際、蓋２５の上面を有蓋足場板Ａの天板４５の上面と面一にすることができる。
【００２３】
また、図２に示すように、蓋用天板５６の一側面は、一対の枢軸５９、６０によって、昇降用開口２４を形成する補強枠５３の対応する個所に枢支連結されており、一方、その他側面は、本発明に係る開閉蓋のロック装置６１によって、昇降用開口２４を形成する蓋載置用鍔部５４の対応する個所に着脱自在に掛止されている。
【００２４】
図４〜図７に、蓋２５を昇降用開口２４に開閉自在にロックするための開閉蓋のロック装置６１の構成を詳細に示す。図示するように、開閉蓋のロック装置６１は、蓋２５の周縁部の一部を形成する蓋用天板５６の前端に固着されるストッパー受け金７０と、ストッパー受け金７０に上下方向に揺動自在に取付けられるストッパー７１と、ストッパー受け金７０とストッパー７１との間に介設されるスプリングの一例であるヒンジばね８５とから構成される。
【００２５】
即ち、図４及び図７に示すように、ストッパー受け金７０は、実質的に、その前部が蓋用天板５６の補強枠５５内に嵌入される横長矩形の垂直板からなる受け金本体７２と、受け金本体７２の上部から一側方に向けて伸延する状態で連設されると共に蓋用天板５６の裏面に連結ボルト７３によって連結される横長矩形の水平板からなる取付部材７４と、受け金本体７２の下部から他側方に向けて伸延する状態で連設される横長矩形の小水平板からなるストッパー受け部材７５とから構成される。
【００２６】
また、受け金本体７２の前部には、ストッパー７１の前部を、後述する枢支ボルト８６を用いて上下方向に揺動自在に枢支するための枢支孔７６が設けられている。一方、受け金本体７２の中央部には、後述するヒンジばね８５の一端部８５ａを掛止するための第１の掛止孔７７が設けられている。さらに、取付部材７４には、連結ボルト７３を挿通するためのボルト挿通孔７８が設けられている。
【００２７】
一方、ストッパー７１は、図７に示すように、実質的に、その前部が蓋用天板５６の補強枠５５内に嵌入される横長矩形の垂直板からなるストッパー本体７９と、ストッパー本体７９の下面（下部揺動端）に連設される側面視でＬ字状の鍔部掛止片８０と、ストッパー本体７９の後方上部に形成された上部揺動端から一側方に向けて伸延する状態で連設される矩形の水平板からなる上部摘まみレバー８１と、鍔部掛止片８０の後方下部に形成された下部揺動端から一側方に向けて伸延する状態で連設される矩形の傾斜板からなる下部押圧レバー８２とから構成される。上記構成において、鍔部掛止片８０の下縁には円弧状の鍔部摺動接触面８０ａが形成されている。
【００２８】
また、ストッパー本体７９の前部には、ストッパー７１の前部を上下方向に揺動自在に枢支するための枢支孔８３が設けられている。一方、ストッパー本体７９とＬ字状の鍔部掛止片８０との連設部には、後述するヒンジばね８５の他端部８５ｂを掛止するための第２の掛止孔８４が設けられている。
【００２９】
図４〜図７に示すように、上記したストッパー受け金７０と、ストッパー７１と、ヒンジばね８５を用いて開閉蓋のロック装置６１を組み立てるに際しては、まず、ストッパー受け金７０の受け金本体７２の前部を補強枠５５の内部に挿入すると共に、その取付部材７４を連結ボルト７３によって蓋用天板５６に連結して、ストッパー受け金７０を蓋２５の前部に一体的に取付ける。
【００３０】
次に、図４に示すように、ストッパー７１をストッパー受け金７０に並設させると共に、ヒンジばね８５をストッパー７１とストッパー受け金７０との間に介設し、その状態を保持しながら、図７に示すように、枢軸の一例である枢支ボルト８６を、ストッパー７１の枢支孔８３と、ヒンジばね８５の環状枢支部８５ｃと、ストッパー受け金７０の枢支孔７６に順次挿通した後、挿通端にナット８７を螺着する。
【００３１】
その後、ヒンジばね８５の他端部８５ｂをストッパー７１に設けられた第２の掛止孔８４に掛止すると共に、ヒンジばね８５の一端部８５ａをストッパー受け金７０の第１の掛止孔７７に掛止することによって開閉蓋のロック装置６１を形成することができる。
【００３２】
かかる構成において、蓋２５の閉蓋時には、図４及び図５に示すように、ヒンジばね８５の弾性力によって、ストッパー７１には、枢支ボルト８６周りに時計方向の回転モーメントが常時付与されることになり、この回転モーメントによって、鍔部掛止片８０が自動的に蓋載置用鍔部５４に掛止されることになり、容易かつ確実に蓋２５を昇降用開口２４にロックすることができる。なお、ストッパー７１の過回転はストッパー受け部材７５によって防止することができる。
【００３３】
一方、下の有蓋足場板Ａから上の有蓋足場板Ａに昇る際には、下部押圧レバー８２を上方に持ち上げて、蓋２５に枢支ボルト８６周りの反時計方向の回転を与えることによって、鍔部掛止片８０と蓋載置用鍔部５４との掛止を解除することができ、その後、蓋２５を上方に持ち上げることによって容易に下の有蓋足場板Ａから上の有蓋足場板Ａに移動することができる。
【００３４】
また、上の有蓋足場板Ａから下の有蓋足場板Ａに降りる際には、上部摘まみレバー８１を、蓋用天板５６に設けた矩形形状の開口８８を通して摘んで上方に持ち上げて、蓋２５に枢支ボルト８６周りの反時計方向の回転を与えることによって、鍔部掛止片８０と蓋載置用鍔部５４との掛止を解除することができ、その後、蓋２５を上方に持ち上げることによって容易に上の有蓋足場板Ａから下の有蓋足場板Ａに移動することができる。
【００３５】
上記した開蓋作業を終了した後は、通常、蓋２５を閉じる必要があるが、本実施の形態では、ストッパー７１の鍔部掛止片８０の下縁には円弧状の鍔部摺動接触面８０ａが形成されている。従って、蓋２５の閉動作に伴い、蓋載置用鍔部５４に鍔部摺動接触面８０ａが摺動しながら接触することになり、いったん、ストッパー７１の鍔部掛止片８０は反時計方向に回転されることになる。その後、死点を越えると、ストッパー７１の鍔部掛止片８０が再度時計方向に回転して蓋載置用鍔部５４に自動的に掛止されることになる。従って、蓋２５の開閉動作を容易に行うことができる。
【００３６】
また、本実施の形態では、ストッパー受け部材７５によってストッパー７１の過回転を防止するようにしているので、ストッパー７１の破損を防止することができると共に、上部摘まみレバー８１を容易に摘むことができ、有蓋足場板Ａの上方からの蓋２５の開閉作業を容易に行うことができる。
【００３７】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、上記した実施の形態では、昇降用開口は有蓋足場板の一端に設けられているが、昇降用開口が有蓋足場板の全体にわたって形成されている場合においても、本発明に係る開閉蓋のロック装置を適用することができる。
【００３８】
【発明の効果】
請求項１、２記載の開閉蓋のロック装置においては、閉蓋時に床板に設けられた所定形状の昇降用開口内に嵌入されると共に、開蓋時に床板に設けられた枢軸回りに上方に旋回される蓋を、閉蓋時に床板にロックする開閉蓋のロック装置において、昇降用開口を形成する環状周壁の内面に設けられ、その上面に蓋が着脱自在に載置される蓋載置用鍔部と、蓋の周縁部であって、枢軸によって枢支されている側と反対側をなす側に揺動自在に取付けられると共に、下部揺動端にＬ字状の鍔部掛止片を有するストッパーと、閉蓋時に鍔部掛止片の上面が蓋載置用鍔部の下面に常時掛止されるようにストッパーに回転力を付与するスプリングと、ストッパーの上部揺動端と下部揺動端とにそれぞれ取付けられ、鍔部掛止片の蓋載置用鍔部への掛止を解除する上部摘まみレバー及び下部押圧レバーとを具備する。
【００３９】
従って、下の床板から上の床板を昇る際には、下部押圧レバーを操作してロックを解除した後、蓋を上方に持ち上げることによって容易に下の床板から上の床板に移動することができ、一方、上の床板から下の床板に降りる際には、上部摘まみレバーを操作してロックを解除した後、蓋を上方に持ち上げることによって容易に上の床板から下の床板に移動することができる。即ち、足場構造における昇降移動を円滑に行うことができる。
【００４０】
また、ストッパーに沿ってストッパー受け金が並設され、ストッパー受け金の基部は蓋の周縁部に固定連結されると共に、その先部にはストッパーの過回転を防止するためのストッパー受け部材が取付けられている。従って、ストッパーの過回転によるストッパーの破損を防止することができると共に、上部摘まみレバーを容易に摘むことができ、床板の上方からの蓋の開閉作業を容易に行うことができる。
【００４１】
請求項２記載の開閉蓋のロック装置においては、鍔部掛止片の下縁に、閉蓋動作において、蓋載置用鍔部の先部と摺動接触する円弧状の鍔部摺動接触面が形成される。従って、蓋を閉じると自動的にストッパーが蓋載置用鍔部に掛止されることになり、蓋の開閉動作を容易にすることができると共に、蓋を円滑に閉じることができるので、ストッパーの破損も防止することができる。
【図面の簡単な説明】
【図１】本発明の一実施の形態に係る開閉蓋のロック装置を具備する床板を一部とする足場構造の斜視図である。
【図２】有蓋足場板の平面図である。
【図３】有蓋足場板の裏面図である。
【図４】開閉蓋のロック装置の平面図である。
【図５】開閉蓋のロック装置のロック状態を示す図４のＩ−Ｉ線による矢視側断面図である。
【図６】開閉蓋のロック装置のロック解除状態を示す図４のＩ−Ｉ線による矢視側断面図である。
【図７】開閉蓋のロック装置の分解斜視図である。
【図８】従来の開閉蓋のロック装置を具備する足場板の部分平面図である。
【図９】ロック装置の平面図である。
【図１０】ロック装置の正面図である。
【符号の説明】
Ａ  有蓋足場板                  Ａ１  無蓋足場板
Ｂ  足場構造                    １０  前垂直支柱
１１  後垂直支柱                １２  前垂直支柱
１３  後垂直支柱                １４  水平連結部材
１５  水平連結部材              ２０  掛止金具
２１  掛止金具                  ２２  掛止金具
２３  掛止金具                  ２４  昇降用開口
２５  蓋                        ３０  垂直梯子
３１  垂直梯子                  ３２  作業者出入口
３３  作業者出入口              ４０  前枠部材
４１  後枠部材                  ４２  左枠部材
４３  右枠部材                  ４４  矩形枠
４５  天板                      ５２  環状周壁
５３  補強枠                    ５４  蓋載置用鍔部
５５  補強枠                    ５６  蓋用天板
５９  枢軸                      ６０ 枢軸
６１  開閉蓋のロック装置        ７０  ストッパー受け金
７１  ストッパー                ７２  受け金本体
７３  連結ボルト                ７４  取付部材
７５  ストッパー受け部材        ７６  枢支孔
７７  第１の掛止孔              ７８  ボルト挿通孔
７９  ストッパー本体            ８０  鍔部掛止片
８０ａ  鍔部摺動接触面          ８１  上部摘まみレバー
８２  下部押圧レバー            ８３  枢支孔
８４  第２の掛止孔              ８５  ヒンジばね
８５ａ  一端部                  ８５ｂ  他端部
８５ｃ  環状枢支部              ８６  枢支ボルト
８７  ナット                    ８８  開口
【図１】
0003848729.tif 000002
【図２】
0003848729.tif 000003
【図３】
0003848729.tif 000004
【図４】
0003848729.tif 000005
【図５】
0003848729.tif 000006
【図６】
0003848729.tif 000007
【図７】
0003848729.tif 000008
【図８】
0003848729.tif 000009
【図９】
0003848729.tif 000010
【図１０】
0003848729.tif 000011